(57)【要約】【課題】各色版に対応したＦＭスクリーン用の閾値マトリクスを簡易に作成する。【解決手段】既に作成されている１つの色版、たとえばＣ（シアン）版に対するＦＭスクリーン用の閾値マトリクスを原閾値マトリクスＴｏｒｇとして、この原閾値マトリクスＴｏｒｇを構成する各閾値の読出方法（読出開始位置と読出方向）を変更することで、他のＭ（マゼンタ）、Ｙ（イエロー）、Ｋ（黒）の各色版のＦＭスクリーン用の閾値マトリクスを作成する。【選択図】図９
2004064473.tif 000002
【特許請求の範囲】
【請求項１】
それぞれｍ値を採る複数の色版用のカラー画像データと、前記複数の色版に対応した閾値マトリクスとを比較して、各色版のｎ値（ｍ、ｎは、ｍ＞ｎ＞１を満たす自然数）のカラー画像データを作成する際に用いられる前記複数の色版に対応した閾値マトリクスの作成方法において、
原閾値マトリクスを準備する過程と、
前記原閾値マトリクスの閾値の読出方法を変更して所望の色版の閾値マトリクスを作成する過程と
を有することを特徴とする閾値マトリクスの作成方法。
【請求項２】
請求項１記載の閾値マトリクスの作成方法において、
前記所望の色版の閾値マトリクスを作成する過程では、
前記原閾値マトリクスの閾値の読出開始位置をずらして作成する
ことを特徴とする閾値マトリクスの作成方法。
【請求項３】
請求項１記載の閾値マトリクスの作成方法において、
前記所望の色版の閾値マトリクスを作成する過程では、
前記原閾値マトリクスの閾値の読出方向を９０゜あるいは１８０゜あるいは２７０゜変えて作成する
ことを特徴とする閾値マトリクスの作成方法。
【請求項４】
請求項２または３記載の閾値マトリクスの作成方法において、
前記所望の色版の閾値マトリクスを作成する過程では、
前記読出開始位置あるいは前記読出方法をランダムに変えて作成する
ことを特徴とする閾値マトリクスの作成方法。
【請求項５】
請求項１〜４のいずれか１項に記載の閾値マトリクスの作成方法において、
前記原閾値マトリクスを、１または複数準備し、前記所望の色版の１または複数の閾値マトリクスを、前記原閾値マトリクスの１または複数を用いて作成する
ことを特徴とする閾値マトリクスの作成方法。
【請求項６】
請求項１〜５のいずれか１項に記載の閾値マトリクスの作成方法で作成された前記所望の色版の閾値マトリクスと、前記原閾値マトリクスとを、それぞれｍ値を採る複数の色版用のカラー画像データと比較して、各色版のｎ値（ｍ、ｎは、ｍ＞ｎ＞１を満たす自然数）のカラー画像データを作成する比較手段を有する
ことを特徴とするカラー画像データの作成装置。
【請求項７】
請求項１〜６のいずれか１項に記載の閾値マトリクスの作成方法で作成された前記所望の色版の閾値マトリクスを、それぞれｍ値を採る複数の色版用のカラー画像データと比較して、各色版のｎ値（ｍ、ｎは、ｍ＞ｎ＞１を満たす自然数）のカラー画像データを作成する比較手段を有する
ことを特徴とするカラー画像データの作成装置。
【請求項８】
それぞれｍ値を採る複数の色版用のカラー画像データと、前記複数の色版に対応した閾値マトリクスとを比較して、各色版のｎ値（ｍ、ｎは、ｍ＞ｎ＞１を満たす自然数）のカラー画像データを作成する装置において、
既に作成されている原閾値マトリクスに対して、前記複数の色版の閾値マトリクスの少なくとも１つが、前記原閾値マトリクスの閾値の読出方法を変更して作成された閾値マトリクスである
ことを特徴とするカラー画像データの作成装置。
【発明の詳細な説明】
【０００１】
【発明の属する技術分野】
この発明は、複数の色版を重ねて紙等の媒体上にカラー画像を再現するオフセット印刷、インクジェット方式カラープリンタ、あるいは電子写真方式カラープリンタ等での各色版のカラー画像データを作成するカラー画像データの作成装置および該カラー画像データの作成装置で利用される各色版の閾値マトリクスの作成方法に関する。
【０００２】
【従来の技術】
たとえばＣＭＹＫの４色版に対応する連続調のカラー画像データＣＭＹＫを、それぞれ、入力階調の増加に対して黒化画素（Ｃ色、Ｍ色、Ｙ色、Ｋ色等、色の付く画素の総称）が分散して増加するＦＭスクリーン用の閾値マトリクスを用いて、ｎ値、たとえば２値のカラー画像データＣＭＹＫに変換する場合、従来、ＣＭＹＫの各色版毎にそれぞれに対応する４つの閾値マトリクスが用いられている。
【０００３】
ＣＭＹＫの各色版に対して１つの同じＦＭスクリーン用の閾値マトリクスを用いてｎ値のカラー画像データＣＭＹＫを作成した場合には、印刷の際に位置ずれが発生すると、同一位置にあるべき画素が正確に重なり合わず、色ずれが発生し、画像上で不具合となってしまうからである。
【０００４】
なお、黒化画素とは、上述したように、印刷の際にそれぞれＣＭＹＫ色とされる画素をいい、非黒化画素とは、ＣＭＹＫ色で印刷されない、たとえばインクの付かない紙等の媒体の地色の現れる画素をいう。
【０００５】
【発明が解決しようとする課題】
ところで、各色版毎に異なる閾値マトリクスを作成することは、通常行われていることであるが一般に、ＦＭスクリーン用の閾値マトリクスは、閾値の周期的な配列を原因とする繰り返しパターンが発生しないようにするため、１つの閾値マトリクスを構成する閾値の数が多くなる。
【０００６】
しかしながら、閾値の数の多い閾値マトリクスを作成すること、さらにはそのような閾値マトリクスを複数作成することは、作業負荷が大きく作成することがきわめて困難である。
【０００７】
特に、最近のインクジェット方式カラープリンタでは、ＣＭＹＫ各色の他、ＬＣ（ライトシアン）、ＬＭ（ライトマゼンタ）等、６色で印刷されるものもあり、また、従来からＣＭＹＫ４色の他、肌色、金色等の特色が加えられて４色以上とされる印刷も使用されている。
【０００８】
この発明はこのような課題を考慮してなされたものであり、各色版に対応したＦＭスクリーン用の閾値マトリクスを簡易に作成することを可能とする閾値マトリクスの作成方法およびそのような閾値マトリクスを利用して各版毎のカラー画像データを容易に作成するカラー画像データの作成装置を提供することを目的とする。
【０００９】
【課題を解決するための手段】
この発明の閾値マトリクスの作成方法は、それぞれｍ値を採る複数の色版用のカラー画像データと、前記複数の色版に対応した閾値マトリクスとを比較して、各色版のｎ値（ｍ、ｎは、ｍ＞ｎ＞１を満たす自然数）のカラー画像データを作成する際に用いられる前記複数の色版に対応した閾値マトリクスの作成方法において、原閾値マトリクスを準備する過程と、前記原閾値マトリクスの閾値の読出方法を変更して所望の色版の閾値マトリクスを作成する過程とを有することを特徴とする。
【００１０】
この発明によれば、所望の色版の閾値マトリクスを、原閾値マトリクス（オリジナルの閾値マトリクス）の閾値の読出方法を変更して作成する過程を設けているので、各色版に対応した閾値マトリクスを簡易に作成することができる。
【００１１】
たとえば、いずれか１版用の原閾値マトリクスを準備し、その読出方法を変更して残りの色版用の閾値マトリクスを作成する。
【００１２】
また、たとえば、カラー画像データの全色版が４版である場合、２版の原閾値マトリクスを準備しておき、前記２版の原閾値マトリクスのそれぞれの読出方法を変更して、所望の（残りの２版の）それぞれの閾値マトリクスを作成することができる。
【００１３】
また、たとえば、カラー画像データの全色版が４版である場合、２版の原閾値マトリクスを準備しておき、準備した前記２版の原閾値マトリクスのうちの１つの原閾値マトリクスの読出方法を変更して、この１つの原閾値マトリクスから所望の（残りの２版の）それぞれの閾値マトリクスを作成することができる。
【００１４】
さらに、原閾値マトリクスは、どの色版用でもない閾値マトリクスを準備しておき、この閾値マトリクスの読出方法を変更して所望の（全版の）それぞれの閾値マトリクスを作成することもできる。
【００１５】
所望の色版の閾値マトリクスを作成する過程では、原閾値マトリクスの閾値の読出開始位置をずらして作成することができる。
【００１６】
また、所望の色版の閾値マトリクスを作成する過程では、原閾値マトリクスの閾値の読出方向を９０゜あるいは１８０゜あるいは２７０゜変えて作成することができる。
【００１７】
さらに、所望の色版の閾値マトリクスを作成する過程では、前記読出開始位置あるいは前記読出方法をランダムに変えて他の色版の閾値マトリクスを作成することができる。
【００１８】
上述したように、原閾値マトリクスを、１または複数準備し、所望の色版の１または複数の閾値マトリクスを、前記原閾値マトリクスの１または複数を用いて作成することができる。
【００１９】
この場合、上述した閾値マトリクス作成方法で作成された所望の色版の閾値マトリクスと、前記既に作成されている１つの色版に対する閾値マトリクスとを（あるいは、所望の色版の閾値マトリクスを）、それぞれｍ値を採る複数の色版用のカラー画像データと比較して、各色版のｎ値（ｍ、ｎは、ｍ＞ｎ＞１を満たす自然数）のカラー画像データを作成する比較手段を有するカラー画像データの作成装置を提供することができる。
【００２０】
この発明のカラー画像データの作成装置は、それぞれｍ値を採る複数の色版用のカラー画像データと、前記複数の色版に対応した閾値マトリクスとを比較して、各色版のｎ値（ｍ、ｎは、ｍ＞ｎ＞１を満たす自然数）のカラー画像データを作成する装置において、既に作成されている原閾値マトリクスに対して、前記複数の色版の閾値マトリクスの少なくとも１つが、前記原閾値マトリクスの閾値の読出方法を変更して作成された閾値マトリクスであることを特徴とする。この発明によれば、各版のカラー画像データを容易に作成することができる。
【００２１】
【発明の実施の形態】
以下、この発明の実施の形態について図面を参照して説明する。
【００２２】
図１は、この発明の実施の形態が適用された製版システム１０の基本的な構成を示している。
【００２３】
この製版システム１０は、図示していないスキャナあるいはデジタルカメラ等の画像入力装置で取り込まれ、カラー画像データＧとされた原稿画像を、２値画像としての各版Ｆ（ここでは、ＣＭＹＫ各版）上に再現するシステムである。
【００２４】
この製版システム１０には、入力端子１２を通じて、ｍ値を採る連続調の複数の色版（ここでは、例としてＣＭＹＫの４版）用のカラー画像データＧが供給される。
【００２５】
このカラー画像データＧは、たとえば連続的に濃度が変化するグレースケールのカラー原稿画像をスキャナ等で読み取り、あるいは被写体をデジタルカメラで撮影し、それぞれ色分解処理後に得られるデジタルデータである。
【００２６】
製版システム１０は、基本的には、入力される４色の色版ＣＭＹＫに対応したｍ値を採る各カラー画像データＧから各色版ＣＭＹＫのｎ値（ここでは、２値、ｍ、ｎはｍ＞ｎ＞１を満たす自然数）を採るカラー画像データＨを作成する２値カラー画像データ作成装置１４と、作成されたｎ値カラー画像データＨに対応する画像を表示するディスプレイ等を有する表示装置１６と、作成されたカラー画像データＨからフイルムあるいは刷版等の版Ｆを作成する画像出力機１８とから構成される。なお、画像出力機１８としては、オフセット印刷用等の版Ｆを出力するものに限らず、インクジェット方式カラープリンタ、あるいは電子写真方式カラープリンタ等ハードコピーを出力するものにも適用可能である。
【００２７】
２値カラー画像データ作成装置１４は、プログラムを読み出して実行する制御部あるいは演算部としてのＣＰＵ（Ｃｅｎｔｒａｌ　Ｐｒｏｃｅｓｓｉｎｇ　Ｕｎｉｔ）や記憶部としてのメインメモリやハードディスクを有する本体部と、キーボード等の入力装置３０を有するワークステーションやパーソナルコンピュータで構成される。
【００２８】
そして、２値カラー画像データ作成装置１４は、それぞれ、コンピュータにより達成される機能として、比較部２２と、アドレス計算部２４と、ある１つの版（ＣＭＹＫ版のうち、いずれか１つの版）に対して既に作成されているＦＭスクリーンの原（オリジナルの）閾値マトリクスＴｏｒｇ（のファイル）を格納する原閾値マトリクス格納部２６と、キーボード等の入力装置３０によるキー入力を解釈して読出方法を指定する読出方法指定部３２と、指定された読出方法を格納する読出方法格納部２８とを有する。
【００２９】
ここで、読出方法格納部２８は、カラー画像データＧのそれぞれに適合する原閾値マトリクスＴｏｒｇの読出方法（のファイルあるいはプログラム）を格納している。
【００３０】
図２は、この発明の理解を容易にするために作成した１０個×１０個＝１００個の閾値Ｔを有するＦＭスクリーンの原閾値マトリクスＴｏｒｇの例を示している。閾値Ｔは、値０〜値９９を各１個ずつ割り当てている。
【００３１】
２値カラー画像データ作成装置１４に供給されたカラー画像データＧは、比較部２２の比較入力に供給される。
【００３２】
また、このカラー画像データＧから、読出方法指定部３２により指定され読出方法格納部２８に格納されている読出方法（後述するように、読出開始位置と読出方向とで決定される。）に基づき原閾値マトリクスＴｏｒｇ上のｘ軸（列）とｙ軸（行）のアドレスを表すアドレスＡＤ＝ＡＤ（ｘ，ｙ）がアドレス計算部２４により計算される。
【００３３】
原閾値マトリクス格納部２６は、アドレス計算部２４により計算され指定されたアドレスＡＤに格納されている閾値Ｔを読み出して比較部２２の基準入力に供給する。閾値Ｔは、たとえば、カラー画像データＧの階調が０，１，２，…ｍ値を採る場合には、０，１，２，…ｍ−１値を採るようにされている。この実施の形態では、最大閾値Ｔ＝ｍ−１＝９９に設定しているので、ｍ＝１００となる。
【００３４】
比較部２２において、閾値Ｔとカラー画像データＧを構成する値とが比較され、Ｇ＞Ｔ→１（黒化）、Ｇ≦Ｔ→０（非黒化）の比較計算が行われ、値１または値０を採る２値カラー画像データＨが作成される。
【００３５】
このようにして作成されたＣＭＹＫ各版毎の２値カラー画像データＨは、ＣＲＴモニタ等の表示装置１６に供給され２値画像として画面上に表示されるとともに、画像出力機１８に供給される。なお、表示装置１６の画面上には、ＣＭＹＫ各版毎の２値カラー画像データＨに対応するＣＭＹＫ各版の２値画像を表示可能であるとともに、これらを重ねたカラー画像として表示し再現することが可能である。
【００３６】
また、表示装置１６上に表示される画像は、黒化画素（上述したように、Ｃ色、Ｍ色、Ｙ色、Ｋ色等、色の付いた画素の総称）の密度に応じた階調を有するＦＭスクリーンの階調画像となる。
【００３７】
一方、画像出力機１８では、ＣＭＹＫ各版の、この階調画像に対応する版Ｆが作成され、作成された版Ｆが刷版であれば、そのまま印刷機に装着され、印刷機に装着されたＣＭＹＫ各色版用の刷版に対して対応する各ＣＭＹＫ色版のインクが付けられる。各刷版に付けられたインクが印刷紙上に重ねられて乗せられる（転移される）ことで、印刷用紙上に、各色の画素の密度に応じた画像が形成された所望のカラー画像が印刷されたカラー印刷物を得ることができる。
【００３８】
次に、図１例の製版システム１０を利用して各色版Ｆの２値カラー画像データＨを作成する手順および図２に示す原閾値マトリクスＴｏｒｇから他の色版用の閾値マトリクスＴｏｔｈｅｒを作成する方法について説明する。
【００３９】
たとえば、Ｃ色版用カラー画像データＧに対して作用される閾値マトリクスを図２の原閾値マトリクスＴｏｒｇと仮定する。この原閾値マトリクスＴｏｒｇは、読出開始位置Ｒｓ（ｘ，ｙ）＝Ｒｓ（１，１）、読出方向Ｒｄ（θ）：（θ）＝０゜で入力装置３０のキー入力により指定される。なお、後述するように、読出開始位置Ｒｓ（ｘ，ｙ）は、ランダムに指定することが可能であり、読出方向Ｒｄ（θ）は、０゜方向以外に、９０゜、１８０゜、２７０゜方向を指定すること、あるいは、０゜、９０゜、１８０゜、２７０゜の１つをランダムに指定することが可能である。
【００４０】
このとき、読出方法指定部３２は、入力装置３０のキー入力を解釈して、上記の色指定：Ｃ色、読出開始位置Ｒｓ（ｘ，ｙ）＝Ｒｓ（１，１）、読出方向Ｒｄ（θ）：Ｒｄ（０゜）を読出方法格納部２８に格納する。
【００４１】
このような設定の後、Ｃ色版用カラー画像データＧが入力端子１２を通じて供給されたとき、アドレス計算部２４は、読出方法格納部２８を参照して、原閾値マトリクスＴｏｒｇの読出開始位置Ｒｓ（ｘ，ｙ）＝Ｒｓ（１，１）と読出方向Ｒｄ（θ）＝Ｒｄ（０゜）からなる読出方法に基づき、原閾値マトリクスＴｏｒｇの閾値Ｔを読み出す。
【００４２】
この場合、閾値Ｔ（ｘ，ｙ）は、１列１行目の閾値Ｔ（１，１）＝７８から、読出方向０゜（図２中、左側から右方向）で、順に、４０、５８、…４９、２列目の８４、６０、…、１０列１０行目の３８まで読み出され、比較部２２において、Ｃ色版用カラー画像データＧを構成する各値と順に比較され、上述したＧ＞Ｔ→１（黒化）、Ｇ≦Ｔ→０（非黒化）の比較計算が行われ、値１または値０を採るＣ版用の２値カラー画像データＨが作成される。
【００４３】
次に、たとえば、Ｍ色版用カラー画像データＧに対して、原閾値マトリクスＴｏｒｇが、読出開始位置Ｒｓ（ｘ，ｙ）＝Ｒｓ（５，４）、読出方向Ｒｄ（θ）：（θ）＝０゜が入力装置３０により指定され、読出方法指定部３２により、色指定：Ｍ色、読出開始位置Ｒｓ（ｘ，ｙ）＝Ｒｓ（５，４）、読出方向Ｒｄ（θ）：Ｒｄ（０゜）が読出方法格納部２８に格納される。
【００４４】
この設定の後、Ｍ色版用カラー画像データＧが入力端子１２を通じて供給されたとき、アドレス計算部２４は、読出方法格納部２８を参照して、原閾値マトリクスＴｏｒｇの読出開始位置Ｒｓ（ｘ，ｙ）＝Ｒｓ（５，４）と読出方向Ｒｄ（θ）＝Ｒｄ（０゜）からなる読出方法に基づき、原閾値マトリクスＴｏｒｇの閾値Ｔを読み出して他の色版であるＭ版用の新たな閾値マトリクスＴｏｔｈｅｒを作成する。
【００４５】
図３は、原閾値マトリクスＴｏｒｇの読出開始位置Ｒｓ（ｘ，ｙ）＝Ｒｓ（５，４）と読出方向Ｒｄ（θ）＝Ｒｄ（０゜）からなる読出方法に基づき閾値Ｔを読み出して整列した他の色版、この場合、Ｍ色版用の閾値マトリクスＴｏｔｈｅｒを示している。
【００４６】
すなわち、Ｍ色版用の閾値マトリクスＴｏｔｈｅｒの閾値Ｔ（ｘ，ｙ）は、原閾値マトリクスＴｏｒｇの５列４行目のＴ（５，４）＝２２から、読出方向０゜（図２中、左側から右方向）で、順に、９５、２６、７９、１６、９９、４５、２３、３９、８、５列５行目の９３、５４、…、５列１０行目の３、７６、…、５列１行目の３５、８０、…４列３行目の２４まで読み出され、比較部２２において、Ｍ色版用カラー画像データＧを構成する各値と比較され、Ｇ＞Ｔ→１（黒化）、Ｇ≦Ｔ→０（非黒化）の比較計算が行われ、値１または値０を採るＭ色版用の２値カラー画像データＨが作成される。
【００４７】
以下、同様に、Ｙ版、Ｋ版用の閾値マトリクスＴｏｔｈｅｒは、Ｃ版、Ｍ版用の閾値マトリクスＴｏｒｇ、Ｔｏｔｈｅｒとは、異なる読出開始位置Ｒｓ（ｘ，ｙ）と読出方法Ｒｄ（θ）を指定することで作成することができる。
【００４８】
このようにして決定したＭＹＫ版用の閾値マトリクスＴｏｒｇの各読出開始位置Ｒｓ（ｘ，ｙ）および読出方向Ｒｄ（θ）を、カラー画像データＧに関連づけて読出方法格納部２８にテーブルあるいはファイルとして格納しておくことで、同じ種類の、たとえば同じスキャナでの同じ読取条件に対する、あるいは同じデジタルカメラでの同じ撮影条件に対する、読出方法として利用することができる。
【００４９】
次に、図４〜図７を利用して、他の色版の閾値マトリクスＴｏｔｈｅｒを作成する他の方法について説明する。
【００５０】
図４は、図２に示した同一の原閾値マトリクスＴｏｒｇを４個並べた状態を示している。各内容が同じであることを示すために、各原閾値マトリクスＴｏｒｇに大文字の「Ａ」を付けている。
【００５１】
図５は、４個並べた原閾値マトリクスＴｏｒｇの閾値Ｔの読出方法｛読出開始位置Ｒｓ（ｘ，ｙ）＝Ｒｓ（５，４）および読出方向Ｒｄ（θ）＝Ｒｄ（０゜）｝を指定して作成された、他の色版用の閾値マトリクスＴｏｔｈｅｒの範囲を示している。読出方向０゜の他の色版用の閾値マトリクスＴｏｔｈｅｒであることを示すために、「→」と大文字の「Ｂ」を付けている。この「Ｂ」で示した閾値マトリクスＴｏｔｈｅｒの範囲が図３に示した閾値マトリクスＴｏｔｈｅｒと同一の内容である。
【００５２】
この場合、読出開始位置Ｒｓ（ｘ，ｙ）＝Ｒｓ（５，４）は、同じ位置であっても、図６に示すように、閾値Ｔの読出方向Ｒｄ（θ）を、９０゜あるいは１８０゜あるいは２７０゜変えることで他の色版の異なる閾値マトリクスＴｏｔｈｅｒを作成することができる。
【００５３】
図７は、この中、例として、原閾値マトリクスＴｏｒｇの閾値Ｔの読出方法｛読出開始位置Ｒｓ（ｘ，ｙ）＝Ｒｓ（５，４）および読出方向Ｒｄ（θ）＝Ｒｄ（９０゜）｝を指定して作成された、他の色版用の閾値マトリクスＴｏｔｈｅｒの具体的閾値Ｔの配列を示している。
【００５４】
さらに、他の色版用の閾値マトリクスＴｏｔｈｅｒの作成過程では、読出方法指定部３２にソフトウエアの乱数発生器を設けておくことにより、読出開始位置Ｒｓ（ｘ，ｙ）および読出方向Ｒｄ（θ）からなる読出方法をランダムに変えて他の色版の閾値マトリクスＴｏｔｈｅｒを作成することができる。
【００５５】
次に、比較部２２において、ｎ＝３値以上のカラー画像データＨを作成する場合について説明する。
【００５６】
なお、この明細書でｎ値とは、画像出力機１８を、理解の容易化のため、たとえばプリンタとして考えた場合、このプリンタの１画素での出力可能な階調数をいう。すなわち、たとえば、ｎ＝３値の場合には、インクの液滴が０（なし）、１（小ドット出力）、２（大ドット出力）のように、階調数が３段階採れるものをいう。このようにすれば、シアンインクＣのみの使用で、なし、小ドット、大ドットの３値、すなわち３階調を採ることができる。
【００５７】
ここで、例としてシアンインクＣを用いてｎ＝３の３値のカラー画像データＨを作成する場合について、図２の原閾値マトリクスＴｏｒｇを例として説明する。
【００５８】
図８に示すように、原閾値マトリクスＴｏｒｇを準備する際、閾値Ｔ＝０〜９９がそれぞれ適当なアドレス位置に配置されたＦＭスクリーンの原閾値マトリクスＴｏｒｇ１と、ＦＭスクリーンの原閾値マトリクスＴｏｒｇ２とを準備する。
【００５９】
次に、カラー画像データＧの値Ｇ１と、これと同一アドレス｛図８例では、ＡＤ（ｘ，ｙ）＝（１，１）としている。｝に位置する原閾値マトリクスＴｏｒｇ１の閾値Ｔ１と、原閾値マトリクスＴｏｒｇ２の閾値Ｔ２とを同時に比較する。
【００６０】
このとき、Ｇ１＜Ｔ１でかつＧ＜Ｔ２である場合、３値画像データＨの該当アドレス個所の画素Ｈ１は、非黒化（なし）：０とする。また、Ｇ１≧Ｔ１でかつＧ＜Ｔ２である場合、３値画像データＨの該当アドレス個所の画素Ｈ１は、小ドット出力：１とする。さらに、Ｇ１≧Ｔ１でかつＧ≧Ｔ２である場合、３値画像データＨの該当アドレス個所の画素Ｈ１は、大ドット出力：２とする。
【００６１】
たとえば、閾値Ｔ１がＴ１＝９８、閾値Ｔ２がＴ２＝９９である場合、値Ｇ１がＧ１＝９７であれば、画素Ｈ１は、非黒化（なし）：０、Ｇ１＝９８になると、画素Ｈ１は小ドット出力：１に代わり、Ｇ１＝９９になると画素Ｈ１は、大ドット出力：２になる。
【００６２】
このようにすれば、ｍ階調のカラー画像データＧを３値のカラー画像データＨに変換することができる。
【００６３】
すなわち、ｎ＝３値の場合には、原閾値マトリクスＴｏｒｇが、原閾値マトリクスＴｏｒｇ１、Ｔｏｒｇ２の２個一組となる。したがって、原閾値も２組の閾値を持つことになる。よって、多色については、２つの原閾値を持つ各原閾値マトリクスＴｏｒｇ１、Ｔｏｒｇ２について、それぞれ、同一開始点、同一回転方向で２個一組の他の閾値マトリクスＴｏｔｈｅｒを作成すればよい。
【００６４】
同様に、閾値Ｔとして３個の原閾値マトリクスＴｏｒｇを準備した場合は、、４値のカラー画像データＨに変換することができる。
【００６５】
このように、原理的には、ｍ階調のカラー画像データＧを、ｎ＝ｍ−１階調までのカラー画像データＨに変換する場合でも、同様に各色の閾値マトリクスＴｏｔｈｅｒを作成することができる。
【００６６】
以上のように、上述した実施の形態に係る閾値マトリクスの作成方法では、ＦＭスクリーン用の原（オリジナルの）閾値マトリクスＴｏｒｇから各色版に対応したＦＭスクリーン用の閾値マトリクスＴｏｔｈｅｒを簡易に作成することができる。
【００６７】
また、このようにして作成した閾値マトリクスＴｏｔｈｅｒを利用して各版毎のカラー画像データを容易に作成することができる。
【００６８】
さらに具体的に説明すると、上述した実施の形態に係る閾値マトリクスの作成方法では、それぞれｍ値を採る複数の色版、たとえばＣＭＹＫ版用のカラー画像データＧと、前記複数の色版に対応した閾値マトリクスＴｏｒｇ、Ｔｏｔｈｅｒとを比較して、各色版のｎ値（ｍ、ｎは、ｍ＞ｎ＞１を満たす自然数でここでは２値）のカラー画像データＨを作成する際に用いられる複数の色版に対応したＦＭスクリーン用の閾値マトリクスＴｏｔｈｅｒの作成方法において、既に作成されている１つの色版に対する原閾値マトリクスＴｏｒｇを準備する過程と、他の色版の閾値マトリクスＴｏｔｈｅｒを、前記１つの色版に対する原閾値マトリクスＴｏｒｇの閾値Ｔの読出方法｛読出開始位置Ｒｓ（ｘ，ｙ）および読出方向Ｒｄ（θ）｝を変更して作成する過程とを有する。
【００６９】
たとえば、図９に示すように、読出開始位置を「Ｃ」，「Ｍ」，「Ｙ」，「Ｋ」（ＣＭＹＫはそれぞれＣ色、Ｍ色、Ｙ色、Ｋ色に対応する。）で示す位置から０゜の方向あるいは１８０゜の方向にＣ版用の原閾値マトリクスＴｏｒｇの閾値Ｔを読み出すようにすることで、他のＭＹＫ版用の閾値マトリクスＴｏｔｈｅｒを、既に作成されている１つの色版であるＣ色版に対する閾値マトリクスＴｏｒｇから簡易に作成することができる。
【００７０】
また、ＦＭスクリーン用の閾値マトリクスとしては、この閾値マトリクスにより作成されるドットの大きさが均一なものばかりでなく、ＡＭスクリーン的要素を加味してドットの大きさが不均一なものをも使用することができる。
【００７１】
なお、上述した実施の形態では、原閾値マトリクスＴｏｒｇから他の色版用の閾値マトリクスＴｏｔｈｅｒを作成する方法について説明したが、準備しておく原閾値マトリクスＴｏｒｇは、１つでなくてもよく、また、準備しておく原閾値マトリクスＴｏｒｇはいずれかの色版用の閾値マトリクスでなくてもよい。
【００７２】
たとえば、カラー画像データの全色版が４版（たとえば、ＣＭＹＫ版）である場合、２版（前記ＣＭＹＫ版のうちの２版）の原閾値マトリクスＴｏｒｇを準備しておき、前記２版の原閾値マトリクスＴｏｒｇのそれぞれの読出方法を変更して、所望の（残りの２版の）それぞれの閾値マトリクスＴｏｔｈｅｒを作成することができる。
【００７３】
また、たとえば、カラー画像データの全色版が４版（たとえば、ＣＭＹＫ版）である場合、２版（前記ＣＭＹＫのうちの２版）の原閾値マトリクスＴｏｒｇを準備しておき、準備した前記２版の原閾値マトリクスＴｏｒｇのうちの１つの原閾値マトリクスＴｏｒｇの読出方法を変更して、この１つの原閾値マトリクスＴｏｒｇから所望の（残りの２版の）それぞれの閾値マトリクスＴｏｔｈｅｒを作成することができる。
【００７４】
さらに、原閾値マトリクスＴｏｒｇは、どの色版用でもない閾値マトリクスを準備しておき、この閾値マトリクスの読出方法を変更して所望の（たとえば、ＣＭＹＫの全版の）それぞれの閾値マトリクスＴｏｔｈｅｒを作成することもできる。
【００７５】
【発明の効果】
以上説明したように、この発明によれば、原（オリジナルの）閾値マトリクスから所望の色版に対応した閾値マトリクスを簡易に作成することができる。
【００７６】
また、このようにして作成した閾値マトリクスを利用して各版毎のカラー画像データを容易に作成することができる。
【図面の簡単な説明】
【図１】この発明の実施の形態が適用された製版システムの基本的な構成図である。
【図２】ある色版用の原閾値マトリクスの例を示す説明図である。
【図３】他の色版用の閾値マトリクスの例を示す説明図である。
【図４】原閾値マトリクスから他の閾値マトリクスを作成する際の説明図である。
【図５】原閾値マトリクスから他の閾値マトリクスを作成する際の説明図である。
【図６】読出方向の説明図である。
【図７】他の閾値マトリクスの例を示す説明図である。
【図８】３値のカラー画像データ作成の説明図である。
【図９】読出開始位置と読出方向の例を示す説明図である。
【符号の説明】
１０…製版システム　　　　　　　　　　１２…入力端子
１４…２値カラー画像データ作成装置　　１６…表示装置
１８…画像出力機　　　　　　　　　　　２２…比較部
２４…アドレス計算部　　　　　　　　　２６…原閾値マトリクス格納部
２８…読出方法格納部　　　　　　　　　３０…入力装置
３２…読出方法指定部
【図１】
2004064473.tif 000003
【図２】
2004064473.tif 000004
【図３】
2004064473.tif 000005
【図４】
2004064473.tif 000006
【図５】
2004064473.tif 000007
【図６】
2004064473.tif 000008
【図７】
2004064473.tif 000009
【図８】
2004064473.tif 000010
【図９】
2004064473.tif 000011